(57)【要約】【課題】  建物における効率的な吸排気性能を確保しつつ、キッチン等の特定の区画空間において換気処理を行った場合であっても建物全体の内外差圧の発生を抑制すること。【解決手段】  換気システム１は、給気ファン駆動手段４２により給気ファン４３を駆動させることによって、外気導入用ダクト２３を介して導入された外気を屋内の一の区画空間へ給気する給気手段３０と、排気ファン駆動手段５９ｅにより排気ファン５９ａを駆動させることによって、給気手段３０により一の区画空間へと給気された空気を、屋内の他の区画空間より吸入して屋外へと排気する排気手段５９とを備えている。外気導入用ダクト２３には、特定の区画空間１１に設けられた特別排気手段２０の近傍へと延設される特定給気ダクト２４の一端が連結されている。【選択図】  図１
2008164222.tif 000002
【特許請求の範囲】
【請求項１】
給気ファン駆動手段により給気ファンを駆動させることによって、外気導入用ダクトを介して導入された外気を屋内の一の区画空間へ給気する給気手段と、
排気ファン駆動手段により排気ファンを駆動させることによって、前記給気手段により前記一の区画空間へと給気された空気を、前記屋内の他の区画空間より吸入して屋外へと排気する排気手段と
を備え、
外気導入用ダクトには、特定の区画空間に設けられた特別排気手段の近傍へと延設される特定給気ダクトの一端が連結されること
を特徴とする換気システム。
【請求項２】
前記外気導入用ダクトは、前記特定給気ダクトとの連結部より前記給気手段へと延設される給気側ダクトと、前記連結部より屋外へと延設される屋外側ダクトとを有し、
前記給気側ダクトのダクト径は、前記屋外側ダクト径よりも小径であり、
前記特定給気ダクトのダクト径は、前記屋外側ダクト径以下かつ前記給気側ダクト径以上である
ことを特徴とする請求項１に記載の換気システム。
【請求項３】
前記特定給気ダクト内に開閉可能な開閉シャッタを備えたこと
を特徴とする請求項１又は請求項２に記載の換気システム。
【請求項４】
前記屋内の負圧状況を検出する圧力検出手段を備え、
前記圧力検出手段により検出された負圧状況に応じて、前記給気ファン又は前記排気ファンの少なくとも一方の駆動量を変更すること
を特徴とする請求項１乃至請求項３のいずれか１項に記載の換気システム。
【請求項５】
ドアを開けようとする状態を検出するドア検出手段を備え、
該ドア検出手段により検出される状態に応じて、前記給気ファン、前記排気ファン又は前記特別排気手段の少なくともいずれかの駆動量を変更すること
を特徴とする請求項１乃至請求項４のいずれか１項に記載の換気システム。
【請求項６】
前記特別排気手段の動作状況に応じて、前記給気ファン又は前記排気ファンの少なくとも一方の駆動量を変更すること
を特徴とする請求項１乃至請求項５のいずれか１項に記載の換気システム。
【請求項７】
ドアを開けようとする状態を検出するドア検出手段を備え、
該ドア検出手段により検出される状態に応じて、前記開閉シャッタの開閉を制御すること
を特徴とする請求項３に記載の換気システム。
【請求項８】
前記特別排気手段の動作状況に応じて、前記開閉シャッタの開閉を制御すること
を特徴とする請求項３又は請求項７のいずれか１項に記載の換気システム。
【発明の詳細な説明】
【技術分野】
【０００１】
本発明は、給気ファン駆動手段により給気ファンを駆動させることによって外気を屋内へ給気する給気手段と、排気ファン駆動手段により排気ファンを駆動させることによって、屋内の空気を屋外へと排気する排気手段とを備えた換気システムに関する。
【背景技術】
【０００２】
今日のマンションや戸建て住宅では、従来に比べて建物の気密性が向上している。このため、一般的な建物では、建物の壁面に外気導入用の自然吸気開口を形成すると共に、浴室空調装置等に設けられる換気ファンを駆動させることによって、屋内の排気を行う第３種換気システムが多く用いられている。
【０００３】
このような第３種換気システムを備えた建物では、自然吸気開口を介して外気が屋内へ導き入れられると共に、浴室空調装置等によって各部屋の空気が積極的に屋外へ排気されることとなるので、気密性の高い住宅においても十分な換気を行うことが可能となっている。
【０００４】
しかしながら、交通量の多い道路等の近くに建物が建っている場合には、自然吸気開口を介して騒音が室内に侵入しやすくなって居住環境の低減を招くおそれがある。さらに、静かな場所に建物が建っている場合であっても、自然吸気開口を介して屋内の生活音等が屋外へと漏れてしまうおそれがあるため、プライバシーを確保することが容易ではないという問題があった。
【０００５】
このような問題を低減させるべく、自然吸気開口に対して開閉シャッタ等が設けられる場合もあるが、開閉シャッタを閉じた場合には、自然吸気開口による外気の導入を円滑に行うことが困難であるため、屋内の換気効率が低減してしまうおそれがあった。
【０００６】
例えば、一般家庭のキッチンには、調理により生じた煙灯をファンで積極的に屋外へ排出するためのキッチン用換気装置が設けられており、この換気装置によって屋外へ排出される空気の量は比較的多量である。このため、自然吸気開口を閉じた状態でレンジ換気用換気装置を稼働させた場合には、浴室空調装置等による排気動作とも相まって、屋内と屋外との内外差圧が大きくなってしまい、玄関ドアやサッシ等の開閉を行い難くなるおそれがあった。
【０００７】
このため、キッチンへ外気を直接導入するためのスポット給気ラインを設けることによって、レンジ換気用換気装置を稼働させた場合のキッチンにおける換気効率を向上させて、建物内の内外差圧の発生を低減させる方法が提案されている（例えば、特許文献１参照）。
【０００８】
また、熱交換換気空調装置を用いて屋内の熱交換を行う建物において、熱交換換気空調装置の吸気ダクトにキッチンの厨房室用吸気口を連通させ、キッチン用換気装置を使用した場合に厨房室用吸気口を介して外気をキッチンに導入して、建物内の内外差圧の発生を低減させる方法が提案されている（例えば、特許文献２参照）。
【特許文献１】特開平１１−２８７４９３号公報（第４−５頁、第１図）
【特許文献２】特公平０７−０４３１５５号公報（第２−３頁、第１図）
【発明の開示】
【発明が解決しようとする課題】
【０００９】
しかしながら、キッチンに外気を直接導入するためのスポット給気ラインを設ける方法を用いた場合であっても、特許文献１に示すように建物の給排気構造が自然吸気開口を用いた第３種換気システムにより構成されている場合には、自然吸気開口を介して騒音が室内に侵入しやすくなって居住環境の低減を招いたり、自然吸気開口を介して屋内の生活音等が屋外へと漏れてしまってプライバシーを確保することが困難となったりするおそれが同様にあった。
【００１０】
さらに、熱交換換気空調装置の吸気ダクトに厨房室用吸気口を連通させ、厨房室用吸気口を介してキッチンの換気効率を向上させる方法を用いた場合には、熱交換機の熱交換効率を高めるために熱交換換気空調装置の屋内側の吸気風量と屋内側の排気風量とがほぼ均等になるように風量調整が行われる。このため、厨房室用吸気口を介して外気が導入される場合には、建物全体の吸気量と排気量とのバランスが損なわれるおそれがある。
【００１１】
特に、特許文献２の図１等に示すように、熱交換換気空調装置の屋内側吸気口と屋内側排気口とが同じ部屋（同一の区画空間）に設けられる場合には、他室の排気を行うための排気手段を別途設ける必要が生じるのでコストが高くなってしまうと共に、建物全体における吸排気量のバランスを保つのが困難となり、換気効率の向上を図ることが容易ではないという問題があった。
【００１２】
本発明は、上記問題に鑑みてなされたものであり、建物における効率的な吸排気性能を確保しつつ、キッチン等の特定の区画空間において排気処理を行った場合であっても、建物全体の内外差圧の発生を抑制することが可能な屋内換気システムを提供することを課題とする。
【課題を解決するための手段】
【００１３】
上記課題と解決するために、本発明に係る換気システムは、給気ファン駆動手段により給気ファンを駆動させることによって、外気導入用ダクトを介して導入された外気を屋内の一の区画空間へ給気する給気手段と、排気ファン駆動手段により排気ファンを駆動させることによって、前記給気手段により前記一の区画空間へと給気された空気を、前記屋内の他の区画空間より吸入して屋外へと排気する排気手段とを備え、外気導入用ダクトには、特定の区画空間に設けられた特別排気手段の近傍へと延設される特定給気ダクトの一端が連結されることを特徴とする。
【００１４】
なお、上記一の区画空間は、必ずしも１つの区画空間に限定されるものではなく、複数の区画空間を含む意味で用いられている。また同様に、上記他の区画空間は、必ずしも１つの区画空間に限定されるものではなく、複数の区画空間を含む意味で用いられる。
【００１５】
また、換気システムにおける前記外気導入用ダクトは、前記特定給気ダクトとの連結部より前記給気手段へと延設される給気側ダクトと、前記連結部より屋外へと延設される屋外側ダクトとを有し、前記給気側ダクトのダクト径は、前記屋外側ダクト径よりも小径であり、前記特定給気ダクトのダクト径は、前記屋外側ダクト径以下かつ前記給気側ダクト径以上であるものであってもよい。
【００１６】
さらに、換気システムは、前記特定給気ダクト内に開閉可能な開閉シャッタを備えるものであってもよい。
【００１７】
また、換気システムは、前記屋内の負圧状況を検出する圧力検出手段を備え、前記圧力検出手段により検出された負圧状況に応じて、前記給気ファン又は前記排気ファンの少なくとも一方の駆動量を変更するものであってもよい。
【００１８】
さらに、換気システムは、ドアを開けようとする状態を検出するドア検出手段を備え、該ドア検出手段により検出される状態に応じて、前記給気ファン、前記排気ファン又は前記特別排気手段の少なくともいずれかの駆動量を変更するものであってもよい。
【００１９】
また、換気システムは、前記特別排気手段の動作状況に応じて、前記給気ファン、前記排気ファン又は前記特別排気手段の少なくともいずれかの駆動量を変更するものであってもよい。
【００２０】
さらに、換気システムが、ドアを開けようとする状態を検出するドア検出手段を備え、該ドア検出手段により検出される状態に応じて、前記開閉シャッタの開閉を制御するものであってよい。
【００２１】
また、換気システムは、前記特別排気手段の動作状況に応じて前記開閉シャッタの開閉を制御するものであってもよい。
【００２２】
なお、各ファンに対する駆動量の変更には、駆動の停止を行う場合も含むものとする。
【発明の効果】
【００２３】
本発明に係る屋内換気システムによれば、特定の区画空間に設けられた特別排気手段の近傍へと延設される特定給気ダクトの一端が、外気導入用ダクトに連結されるので、特定の区画空間（例えばキッチン等）に設けられた特別排気手段（例えばキッチン用換気装置等）によって排気処理が行われる場合であっても、特定給気ダクトを介して外気が特定の区画空間に供給されることとなり、屋内に内外差圧が生じることを抑制することが可能となる。
【００２４】
また、本発明に係る屋内換気システムでは、給気手段が給気ファンを駆動させて外気を屋内へ積極的に給気する構造であるため、必ずしも従来の建物のように自然吸気開口を屋内の壁面等に設ける必要が無い。このため、本発明に係る屋内換気システムでは、自然吸気開口を介して騒音が室内に侵入してしまうことや、自然吸気開口を介して屋内の生活音等が屋外へと漏れてしまうこと等を防止することができ、居住者に快適な居住空間を提供することが可能となる。
【００２５】
さらに、塵埃等が屋内に入り込むことを防止するために、給気ダクト等にフィルタ等を設ける場合であっても、本発明に係る屋内換気システムでは、給気手段が給気ファンを駆動させて積極的に外気の導入を行うため、フィルタにより給気量が減少してしまうことを防止することができ、十分な給気量を確保することが可能となる。
【００２６】
また、本発明に係る屋内換気システムでは、排気ファン駆動手段により排気ファンを駆動させることによって、給気手段により一の区画空間へと給気された空気を、屋内の他の区画空間より吸入して屋外へと排気する排気手段を備えているため、給気手段により外気の給気が行われる区画空間と、排気手段により屋内の空気の排気が行われる区画空間とが異なる区画空間となる。
【００２７】
このため、ある区画空間に対して給気された空気を異なる区画空間において集めて排気することが可能となるため、屋内の給排気処理を建物全体で効果的に行うことが可能となり、建物全体ですぐれた給排気効果を得ることが可能となる。
【００２８】
また、本発明に係る屋内換気システムでは、給気側ダクトのダクト径が、屋外側ダクト径よりも小径となり、特定給気ダクトのダクト径が屋外側ダクト径以下かつ前記給気側ダクト径以上となるため、特別排気手段により排気処理が行われる場合であっても、給気側ダクトにおいて吸入される外気の吸入量に影響を与えることなく、特定給気ダクトを介して外気を特定の区画空間へと導入することが可能となり、給気手段と特別排気手段との両方に十分な量の外気を導入することが可能となる。
【００２９】
さらに、外気導入用ダクトの連結部において、給気側ダクトと特定給気ダクトとのダクト径が、屋外側ダクト径よりも少なくとも小径となるため、連結部において給気側ダクトと特定給気ダクトとに分岐される空気の流れを阻害することなく円滑に給気側ダクトと特定給気ダクトとへ導くことが可能となる。
【００３０】
また、換気システムが特定給気ダクト内に開閉可能な開閉シャッタを備えるので、特定換気装置により排気処理が行われる場合には、開閉シャッタを開放させることによって特定の区画空間に対して外気を導入することができるので、特定換気装置の排気処理により内外差圧が生じてしまって玄関ドアやサッシドア等の開閉が困難となってしまうことを抑制することが可能となる。
【００３１】
また、特定換気装置により排気処理が行われない場合には、開閉シャッタを閉じることによって、不用意に特定の区画空間へ外気が入り込んでしまうことを防止することが可能となる。
【００３２】
また、屋内の負圧状況を検出する圧力検出手段が設けられているので、給気手段は建物内の負圧状況を判断することが容易となる。このため、特別排気手段による排気処理が行われている場合に特定給気ダクトを介して十分な外気の給気量が確保できない場合であっても、給気手段は、圧力検出手段により検出された負圧状況によって給気量の不足を迅速に判断することができる。この場合、負圧状況に応じて、給気ファン駆動手段が給気ファンの駆動量を変更する（例えば給気量が増加するように給気ファンの駆動量を変更する）ことによって、迅速かつ確実に建物内の負圧状態の調整を行うことができ、内外差圧の増大に伴って、玄関ドアやサッシドア等の開閉が困難となってしまうことを抑制することが可能となる。
【００３３】
また同様に、屋内の負圧状況を検出する圧力検出手段が設けられているので、排気手段は建物内の負圧状況を判断することが容易となる。このため、特別排気手段による排気処理が行われている場合に特定給気ダクトを介して十分な外気の給気量が確保できない場合であっても、排気手段は、圧力検出手段により検出された負圧状況によって給気量の不足を迅速に判断することができる。この場合、負圧状況に応じて、排気ファン駆動手段が排気ファンの駆動量を変更する（例えば排気量が減少するように排気ファンの駆動量を変更する）ことによって、迅速かつ確実に建物内の負圧状態の調整を行うことができ、内外差圧の増大に伴って、玄関ドアやサッシドア等の開閉が困難となってしまうことを抑制することが可能となる。
【００３４】
さらに、ドア検出手段により検出される状態に応じて、前記給気ファン、前記排気ファン又は前記特別排気手段の少なくともいずれかの駆動量を変更することができるので、これらのファンの駆動量を制御することによって建物内の内外差圧のバランスを保つことができ、玄関ドアやサッシドア等の開閉を円滑にすることができる。
【００３５】
特に、ドア検出手段を玄関ドアやサッシドア等の人間が触る部分に設置することによって、ドアを開けようとする直前の状態をドア検出手段により検出することができる。このため、ドアを開けようとする際に積極的に給気ファン、排気ファン又は特別排気手段の少なくともいずれかの駆動量を変更することによって、確実に建物内の内外差圧のバランスを保つことができ、玄関ドアやサッシドア等の開閉負担を低減させることが可能となる。
【００３６】
また同様に、ドア検出手段により検出される状態に応じて開閉シャッタの開閉制御を行うことによって、建物内の内外差圧のバランスを保つことができ、玄関ドアやサッシドア等の開閉を円滑にすることができる。
【００３７】
さらに、特別排気手段の動作状況に応じて、給気ファン又は排気ファンの少なくとも一方の駆動量を変更し、又は、開閉シャッタの開閉を制御することによって、特別排気手段による排気量に応じて、建物内の給排気量を調節することができるので、建物内の内外差圧のバランスを保つことができ、玄関ドアやサッシドア等の開閉を円滑にすることができる。
【発明を実施するための最良の形態】
【００３８】
以下、本発明に係る屋内換気システム（換気システム）について図面を用いて詳細に説明を行う。
【００３９】
図１は、屋内換気システムを備えたマンションの区分建物を示した概略構成図である。
【００４０】
屋内換気システム１が設けられるマンションは、図１に示すように、玄関３より真っすぐに伸びる廊下４を左右に挟んで洋室Ａ５および洋室Ｂ６が設けられている。洋室Ａ５の奥側には、トイレ８、浴室９、洗面所１０が設けられ、さらにその奥にはキッチン１１が設けられている。一方で洋室Ｂ６の奥側には和室１２が設けられ、キッチン１１、和室１２、廊下４の奥にはリビング（ダイニング含む）１３が設けられている。なお、キッチン１１はカウンターキッチン１１ａにより構成されており、キッチン（特別の区画空間）１１とリビング１３との間には扉等が設けられていない。
【００４１】
なお、図１は、屋内換気システム１が設置される区画建物の一例であって、その室内構成は上述したものに限定されるものではない。また、本実施形態では、一例としてマンションに屋内換気システム１が設置される場合について説明を行うが、屋内換気システム１が設置可能な建物は、必ずしもマンションのみに限定されるものではなく、戸建て住宅等であってもよい。
【００４２】
洋室Ａ５、洋室Ｂ６、和室１２、リビング１３、キッチン１１には、外気を取り込むための室内用給気グリル１５ａ〜１５ｅがそれぞれ設けられている。洋室Ａ５、洋室Ｂ６、和室１２、リビング１３は本発明に係る一の区画空間に該当し、キッチン１１は本発明に係る特定の区画空間に該当する。
【００４３】
また、トイレ８、洗面所１０には、室内の空気を屋外へと排出するための室内用排気グリル１６ａ、１６ｂが設けられている。トイレ８、洗面所１０、浴室９は、本発明に係る他の区画空間に該当する。
【００４４】
また、キッチン１１には、調理の際に発生する煙等を強制的に屋外へ排出するためのキッチン用換気装置（特別排気手段）２０が設けられている。キッチン用換気装置２０は、換気に用いられるキッチン用換気ファン２０ａ、キッチン用換気ファン２０ａを回転駆動するキッチン用ファンモータ２０ｂ（図８参照）、キッチン用換気装置のＯＮ、ＯＦＦ切替を行うキッチン用操作ボタン２０ｄ（図８参照）により概略構成されており、屋外壁面に設けられるキッチン排気グリル２０ｃを介して屋外へ排気処理が行われる。
【００４５】
廊下４に面して設けられる洋室Ａ５、洋室Ｂ６、リビング１３、キッチン１１、トイレ８、洗面所１０のドア１７ａ〜１７ｆには、アンダーカット部が設けられており、また、廊下４に面する和室１２のドア１７ｇは、引戸によって構成されている。さらに、洗面所１０に面した浴室９のドア１７ｈには、ガラリが設けられている。
【００４６】
また、玄関３の玄関ドア３ａ近傍位置およびリビング１３のサッシドア１３ａ近傍位置には、屋内の負圧状態（圧力変動）を検出することが可能な圧力センサ（圧力検出手段）２１が設置されている。
【００４７】
廊下４のほぼ中央部には、外気を屋内へと積極的に導入するための中間ダクトファン装置（給気手段）３０が設けられている。中間ダクトファン装置３０の一端には、洋室Ａ５、洋室Ｂ６、和室１２、リビング１３にそれぞれ設けられた室内用給気グリル１５ａ〜１５ｄに連通する室内用給気ダクト３１ａ〜３１ｄが接続されている。また、中間ダクトファン装置３０の他端には、玄関３側外壁に設けられた玄関用給気グリル３ｂより延設されたメイン給気ダクト（外気導入用ダクト）２３が連結されている。中間ダクトファン装置３０については、後に詳細に説明を行う。
【００４８】
メイン給気ダクト２３には、キッチン１１のキッチン用換気装置２０の近傍に配設される室内用給気グリル１５ａに一端が連結されるパスダクト（特定給気ダクト）２４が連結されている。メイン給気ダクト２３にパスダクト２４が連結されているため、中間ダクトファン装置３０を通らずに外気をキッチン用換気装置２０の近傍まで導き入れることが可能である。このため、玄関用給気グリル３ｂを介してメイン給気ダクト２３へと導かれた空気の一部は、キッチン用換気装置２０の駆動状況に応じて、パスダクト２４からキッチン１１へと給気され、残りの空気は中間ダクトファン装置３０により、室内用給気ダクト３１ａ〜３１ｄを介して洋室Ａ５、洋室Ｂ６、和室１２、リビング１３へと給気される構造となっている。
【００４９】
なお、玄関用給気グリル３ｂからパスダクト２４との連結部２４ａまでのメイン給気ダクト（屋外側ダクト）２３ａのダクト径は、φ１５０に規定されており、連結部２４ａから中間ダクトファン装置３０までのメイン給気ダクト（給気側ダクト）２３ｂのダクト径は、φ１００で規定されている。
【００５０】
また、パスダクト２４のダクト径はφ１００に規定されており、パスダクト２４の室内用給気グリル１５ａ側端部には、キッチン用換気装置２０の駆動に応じて開放され、キッチン用換気装置２０の停止に応じて閉塞されるキッチン用シャッタ（開閉シャッタ）２５が設けられている。
【００５１】
浴室９の天井面には、浴室内の換気等を行うための浴室空調装置（排気手段）５０が設けられている。本実施形態に示す浴室空調装置５０は、マンションの各部屋の空気を各ドア１７ａ〜１７ｆのアンダーカット部等を介して吸入し、屋外へと排気するための排気手段としての役割を有している。
【００５２】
浴室空調装置５０の一端には、トイレ８、洗面所１０にそれぞれ設けられた室内用排気グリル１６ａ、１６ｂに連通する室内用排気ダクト２５ａ、２５ｂが接続されている。また、浴室空調装置５０の他端には、玄関３側外壁に設けられた玄関用排気グリル３ｃより延設されたメイン排気ダクト２６が連結されている。浴室空調装置５０については、後で詳細に説明を行う。
【００５３】
図２は、中間ダクトファン装置の展開斜視図を示しており、図３は、中間ダクトファン装置の側方断面図を示している。中間ダクトファン装置３０は、ハウジングケース３５、ファンケースユニット３６と、ドレインパン３７と、チャンバー３８とを備えている。
【００５４】
ハウジングケース３５は、所定の高さを有し、底面が開放された箱体である。ハウジングケース３５は、不燃性の部材、例えば製造性・コスト・耐久性等を考慮して腐食し難い金属等によって構成されている。ハウジングケース３５の一側面には、外気導入用の外気導入用開口３５ａが形成され、対向する他側面にはチャンバー３８を介して各部屋へ空気を給気するための室内給気用開口３５ｂが形成されている。外気導入用開口３５ａには、メイン給気ダクト２３が連結される給気ダクト連結部３５ｃが取り付けられている。
【００５５】
ハウジングケース３５の内部には、外気導入用開口３５ａを臨むようにして塵埃フィルタ３９ａとＮｏｘフィルタ３９ｂとが設けられている。塵埃フィルタ３９ａとＮｏｘフィルタ３９ｂとは、ハウジングケース３５の内側壁に取り付けられるフィルタガイド４０に保持されており、塵埃フィルタ３９ａおよびＮｏｘフィルタ３９ｂが汚れた場合には、これらのフィルタ３９ａ、３９ｂをフィルタガイド４０より取り外すことによってフィルタの交換を行うことが可能となっている。
【００５６】
ファンケースユニット３６は、ファンケース４１と、ファンモータ（給気ファン駆動手段）４２と、シロッコファン（給気ファン）４３と、中間ファン用回路基板４４と、ファンカバー４５とを備えている。ファンケース４１には、シロッコファン４３を収納すると共にシロッコファン４３の回転に伴って導入される空気を室内給気用開口３５ｂへと導くための案内通路４１ａが形成されている。ファンモータ４２は、ファンケース４１の上面に設置されおり、シロッコファン４３は、ファンモータ４２より垂設される回転軸４２ａに固定されている。
【００５７】
また、ファンケース４１の上面であってファンモータ４２の隣には、中間ファン用回路基板４４が設けられている。中間ファン用回路基板４４の内部には、ファンモータ４２の制御を行うための中間ファン制御部７０（図８参照）が設けられている。
【００５８】
ファンカバー４５は、案内通路４１ａの底面を形成するようにしてファンケース４１の底面に取り付けられる。ファンカバー４５には、シロッコファン４３を回転軸４２ａ方向へと臨むようにして外気用吸込口４５ａが形成されており、この外気用吸込口４５ａを介して外気がファンケース４１内に案内される。ファンカバー４５の縁部にはフランジ部４５ｂが形成されており、ドレインパン３７との間に外気を案内するための空間４８を確保することが可能な構造となっている。
【００５９】
ドレインパン３７は、中央部に谷状部３７ａが形成される傾斜面３７ｂによって構成されており、谷状部３７ａの端部には、図示を省略した排水パイプに接続される配水管３７ｃが設けられている。このように傾斜面３７ｂによってドレインパン３７を形成することによって、メイン給気ダクト２３を介して案内された外気が中間ダクトファン装置３０の壁面に接触して結露し、滴等が発生した場合であっても、配水管３７ｃを通して滴等の水分を排出することが可能となっている。
【００６０】
ドレインパン３７は、ハウジングケース３５の底面に取り付けられる。なお、上述したように、ファンカバー４５の縁部にはフランジ部４５ｂが形成されているため、ドレインパン３７とファンカバー４５との間に空間４８が確保されて状態で、ドレインパン３７がハウジングケース３５に固定されることとなる。
【００６１】
チャンバー３８は、室内給気用開口３５ｂが形成されるハウジングケース３５の側壁面側に取り付けられている。チャンバー３８は、ファンケースユニット３６のシロッコファン４３の回転により積極的に導入された外気を、洋室Ａ５、洋室Ｂ６、リビング１３、和室１２の各部屋に分岐して給気する役割を有しており、チャンバー３８には、給気を行う部屋の数に応じて複数の給気ダクト接続部４９ａ〜４９ｄが設けられている。各給気ダクト接続部４９ａ〜４９ｄには、上述した室内用給気ダクト３１ａ〜３１ｄがそれぞれ接続されており、チャンバー３８へと案内された外気は、各給気ダクト接続部４９ａ〜４９ｄによってそれぞれ分岐され、各室内用給気ダクト３１ａ〜３１ｄを介して各部屋へと給気される。
【００６２】
なお、図２に示すチャンバー３８では、４つの給気ダクト接続部４９ａ〜４９ｄが設けられているが、給気ダクト接続部の設置数は４つに限定されるものではなく、接続される室内用給気ダクトの数に応じて増減させることが可能である。
【００６３】
このようにして構成される中間ダクトファン装置３０は、ファンケースユニット３６をハウジングケース３５内に収納し、ハウジングケース３５の底面をドレインパン３７で覆うと共に、側面にチャンバー３８を連結することによって組み立てが行われる。ファンケースユニット３６がハウジングケース３５に取り付けられた場合、ファンケースユニット３６の案内通路４１ａの端部は、ハウジングケース３５に形成される室内給気用開口３５ｂを臨む位置に固定される。
【００６４】
図４は、浴室空調装置を示した斜視図であり、図５〜図７は、浴室空調装置を示した側方断面図である。
【００６５】
浴室空調装置５０は、ハウジングケース５１と、送風ユニット５２と、浴室空調用回路基板５３と、フロントパネル５４とを有している。
【００６６】
ハウジングケース５１は、所定の高さを有する箱体であり、中間ダクトファン装置３０のハウジングケース３５と同様に不燃性の部材、例えば鉄等の金属によって構成されている。また、ハウジングケース５１の底面は開放されており、開放された底面開口の周縁にはフランジ５１ａが形成されている。このフランジ５１ａには、フロントパネル５４を下方より着脱自在に装着することが可能となっている。
【００６７】
また、ハウジングケース５１の一側面には、洗面所１０の空気を吸い込むための他室用吸込開口５１ｂが形成されており、また、ハウジングケース５１の他側面には、送風ユニット５２により吸入された空気を、メイン排気ダクト２６を介して屋外に排気するための排気開口５１ｃが形成されている。なお、ハウジングケースの他室用吸込開口５１ｂ側の外側面には、図４に示すように、室内用排気ダクト２５ｂに接続される室内用排気ダクト接続部５２ａが設けられ、排気開口５１ｃ側の外側面には、メイン排気ダクト２６に接続される排気ダクト接続部５２ｂが設けられている。
【００６８】
また、ハウジングケース５１の他の側面には、トイレ８の空気を吸い込むための他室用吸込開口（図示省略）が形成されており、この他室用吸込開口の外側面には、図４に示すように、室内用排気ダクト２５ａに接続される室内用排気ダクト接続部５２ｃが設けられている。
【００６９】
浴室空調用回路基板５３は、ハウジングケース５１の上端部に設置されている。浴室空調用回路基板５３の内部には、浴室空調装置５０の制御を行うための浴室制御部８０（図８参照）が設けられている。
【００７０】
送風ユニット５２は、換気ファンケース５５と、循環ファンケース５６と、循環案内部５７と、ファンカバー５８と、換気ファンユニット５９と、循環ファンユニット６０とを有している。
【００７１】
換気ファンケース５５は、略円筒形状のケースであって、ハウジングケース５１の天井面に固定されている。換気ファンケース５５には、換気ファンユニット５９の換気シロッコファン５９ａを収納するための凹所が形成されるとともに、換気シロッコファン５９ａの回転に伴って導入された空気を、メイン排気ダクト２６を介して屋外へと排気するための案内通路５９ｂが形成されている。この案内通路５９ｂは、換気ファンケース５５の側壁部に形成される側部開口を介してハウジングケース５１の排気開口５１ｃに連通する構造となっている。
【００７２】
換気ファンユニット５９は、主板５９ｃの周縁部に多数の翼５９ｄが設けられる換気シロッコファン（排気ファン）５９ａと、換気シロッコファン５９ａを回転駆動する換気ファンモータ（排気ファン駆動手段）５９ｅとを備えている。換気ファンモータ５９ｅは、換気ファンケース５５の天井面側に固定されており、換気シロッコファン５９ａは、下方に向けて垂設された換気ファンモータ５９ｅの回転軸５９ｆに固定されている。
【００７３】
換気ファンケース５５の底面には、換気シロッコファン５９ａの主板５９ｃを回転軸５９ｆ方向へと臨むようにして換気用吸込口５９ｇが形成されている。換気用吸込口５９ｇが形成される換気ファンケース５５の底面と、循環ファンケース５６の上面との間には一定の間隔Ｌの空間が確保されており、換気ファンモータ５９ｅが駆動して換気シロッコファン５９ａが回転されると、間隔Ｌの空間より換気用吸込口５９ｇを介して、トイレ８および洗面所１０の空気が換気ファンケース５５内に案内される。換気ファンケース５５内に案内された空気は、換気ファンケース５５の案内通路５９ｂ、ハウジングケース５１の排気開口５１ｃ、メイン排気ダクト２６を介して、玄関用排気グリル３ｃより屋外に排気される。
【００７４】
循環ファンケース５６は、底面が開放された略円柱状のケースであり、円柱状ケースの内部には循環シロッコファン６０ａを収納することが可能となっている。また、循環ファンケース５６の側部には、循環案内部５７に連通する側部開口５６ａが形成されている。
【００７５】
循環案内部５７は、循環ファンケース５６内に導入された空気を浴室９内へと導くための案内部である。循環案内部５７は、一端が循環ファンケース５６の側部開口５６ａに接続され、他端が次述するファンカバー５８の端部に形成される吹出口５８ａに接続される筒状部材である。
【００７６】
また、循環案内部５７の内部には、ヒータ５７ａが設けられている。本実施例においては、ヒータ５７ａとして、ＰＴＣ（Ｐｏｓｉｔｉｖｅ  Ｔｅｍｐｅｒａｔｕｒｅ  Ｃｏｅｆｆｉｃｉｅｎｔ）ヒータが用いられている。ただし、ヒータ５７ａはＰＴＣヒータに限定されるものではなく、カーボンヒータ等の他の加熱手段を用いてもよい。
【００７７】
循環ファンユニット６０は、主板６０ｂの周縁部に多数の翼６０ｃが設けられる循環シロッコファン６０ａと、循環シロッコファン６０ａを回転駆動する循環ファンモータ６０ｅとを備えている。循環ファンモータ６０ｅは、循環ファンケース５６の天井面に固定されており、循環シロッコファン６０ａは、下方に向けて垂設された循環ファンモータ６０ｅの回転軸６０ｆに固定されている。
【００７８】
ファンカバー５８は、図４に示すように、循環ファンケース５６の底部開口を覆うようにしてハウジングケース５１の底面に設置されている。循環ファンケース５６がファンカバー５８に固定されることによって、循環ファンケース５６がハウジングケース５１内に固定される構造となっている。
【００７９】
ファンカバー５８には、循環シロッコファン６０ａの主板６０ｂを回転軸６０ｆ方向へと臨むようにして循環用吸込口６０ｇが形成され、また、ファンカバー５８の端部には、循環案内部５７の端部に連通する吹出口５８ａが形成されている。
【００８０】
さらに、ファンカバー５８の他端部には、図４に示すように、開閉ユニット６１が設けられている。開閉ユニット６１は、循環ファンケース５６の外側壁面とハウジングケース５１の内壁面との間に配設されている。開閉ユニット６１は、浴室の空気を換気用吸込口５９ｇへと導くための底面開口を形成する開閉ユニットフレーム６１ａと、底面開口の開閉を行う開閉シャッタ６１ｂと、開閉シャッタ６１ｂの開閉を行う開閉モータ６１ｃ（図８参照）とを有している。なお、開閉シャッタ６１ｂの開閉は、開閉モータ６１ｃによって切り替えられる。
【００８１】
換気ファンユニット５９の換気シロッコファン５９ａが回転する場合に、開閉シャッタ６１ｂを開放することによって、浴室の空気が循環ファンケース５６の外側壁面とハウジングケース５１の内壁面との間を通って換気用吸込口５９ｇより換気ファンケース５５内に案内され、案内通路５９ｂ、ハウジングケース５１の排気開口５１ｃ、メイン排気ダクト２６を介して、玄関用排気グリル３ｃより屋外へと排気される。
【００８２】
フロントパネル５４には、図４に示すように、循環用吸込口６０ｇおよび開閉シャッタ６１ｂが設けられる底面開口の設置位置に対応するようにして、パネル吸込口５４ａが形成されている。また、フロントパネル５４には、ファンカバー５８の吹出口５８ａの設置位置に対応するようにしてパネル吹出口５４ｂが形成されている。
【００８３】
次に、上述した浴室空調装置５０の動作を、設定モード毎に場合分けをして簡単に説明する。
【００８４】
洗面所１０の壁面には、浴室空調装置５０の操作を行うための操作パネル６２（図８参照）が設けられている。操作パネル６２には、暖房運転モードを選択する暖房モードボタンと、涼風運転モードを選択する涼風モードボタンと、換気運転モードを選択する換気モードボタンと、乾燥運転モードを選択する乾燥モードボタンと、２４時間換気運転モードを選択する２４時間換気運転モードボタンとが設けられている。
【００８５】
利用者が操作パネル６２を操作して、浴室空調装置５０の運転モードの選択を行うと、図８に示すように、選択された情報が浴室空調用回路基板５３の浴室制御部８０に伝達される。浴室制御部８０は、暖房運転モード、換気運転モード、涼風運転モード、乾燥運転モード、２４時間換気運転モードに応じて、ヒータ５７ａ、換気ファンモータ５９ｅ、循環ファンモータ６０ｅ、開閉モータ６１ｃの動作制御を行う。
【００８６】
＜換気運転モード・２４時間換気運転モードについて＞
利用者により換気運転モードが選択されると、浴室制御部８０は、循環ファンモータ６０ｅを停止させて循環シロッコファン６０ａの回転を止めると共にヒータ５７ａを停止させる。また、浴室制御部８０は、換気ファンモータ５９ｅを駆動させて換気シロッコファン５９ａを回転させると共に、開閉モータ６１ｃを駆動して開閉シャッタ６１ｂを回動させて、底面開口を開放させる。
【００８７】
換気シロッコファン５９ａが回転されると、洗面所１０およびトイレ８の空気が、室内用排気ダクト２５ａ、２５ｂを介して他室用吸込開口５１ｂへと導かれて、換気用吸込口５９ｇより換気ファンケース１０内部へと吸込まれる（図５の矢印Ａ参照）。
【００８８】
一方で、開閉シャッタ６１ｂの回動によって底面開口が開放されるので、底面開口を介して導かれた浴室９の空気が、フロントパネル５４のパネル吸込口５４ａ、底面開口を介して循環ファンケース５６の外側面とハウジングケース５１の内壁面との間の空間を通って、換気用吸込口５９ｇより換気ファンケース５５内部へと導かれる（図５の矢印Ｂ参照）。
【００８９】
換気ファンケース５５内に吸入された空気は、換気ファンケース５５の案内通路５９ｂを介して排気開口５１ｃへと導かれ（図５の矢印Ｃ参照）、メイン排気ダクト２６を通って屋外に排出される。
【００９０】
換気ファンユニット５９によって浴室９内の空気が屋外に排気されるので、浴室９のドア１７ｈに設けたガラリを介して洗面所１０等の他室の空気が吸込まれることとなる。このように、換気運転モードで浴室空調装置５０を稼働させることにより、浴室９内の湯気や湿気を積極的に屋外へ排気することができるので、浴室９の結露等を抑制することができ、カビの発生を抑えることが可能となる。
【００９１】
また、換気ファンユニット５９によって、トイレ８および洗面所１０の空気が屋外に排気されるので、ドア１７ａ〜１７ｇに設けられるアンダーカット等を介して他室（他の区画空間）の空気を浴室空調装置５０で積極的に集めることができ、建物全体の屋内空気を、換気ファンユニット５９を用いて屋外へ排気することが可能となる。
【００９２】
なお、操作パネルにおいて利用者により２４時間換気運転モードボタンが押下されて、浴室空調装置５０により２４時間換気運転モードでの運転が行われる場合においても、浴室制御部８０は、上述した換気運転モードの動作と同様に、循環ファンモータ６０ｅを停止させ、換気ファンモータ５９ｅを駆動させて換気シロッコファン５９ａを回転させるとともに、開閉モータ６１ｃを駆動して開閉シャッタ６１ｂを回動させ、底面開口を開放させる。
【００９３】
所定の建物では、２４時間換気を行うことが義務付けられており、２４時間換気では、住宅全体又は住宅の所定エリアの容積を所定の換気回数（例えば０．５回／時間）換気する必要がある。このため、浴室空調装置５０に２４時間換気運転モードを設けることによって、建物内の換気が行われる。
【００９４】
浴室制御部８０が、２４時間換気運転モードの運転を開始する場合には、上述した換気運転モードと同様に空気が流れることとなって、建物内の換気を行うことが可能となる。なお、２４時間換気運転モードでは、通常は換気ファンユニット５９の換気ファンモータ５９ｅが連続稼働されて常時換気が行われることとなるが、建物の換気回数として０．５回／時間の換気要件を満たすように換気ファンユニット５９を断続稼働する構成とすることも可能である。
【００９５】
＜暖房モードについて＞
操作パネルにおいて利用者により暖房モードボタンが押下されて、暖房運転モードが選択されると、浴室制御部８０は、換気ファンモータ５９ｅを停止させて換気シロッコファン５９ａの回転を止める。また、浴室制御部８０は、開閉モータ６１ｃを駆動させて開閉シャッタ６１ｂを回動させて底面開口を閉塞させる。さらに、浴室制御部８０は、循環ファンモータ６０ｅを駆動させて循環シロッコファン６０ａを回転させると共にヒータ５７ａを通電させる。
【００９６】
循環シロッコファン６０ａが回転すると、図６に示すように、フロントパネル５４のパネル吸込口５４ａを介して、浴室９の空気がファンカバー５８の循環用吸込口６０ｇから循環ファンケース５６内に吸込まれる（図６の矢印Ｄ）。
【００９７】
循環ファンケース５６内に吸込まれた空気は、循環ファンケース５６内に形成された導通路を通って循環案内部５７へと導かれる。その後、循環案内部５７へと導かれた空気は、循環案内部５７に設けられたヒータ５７ａにより暖められた後に、ファンカバー５８の吹出口５８ａおよびフロントパネル５４のパネル吹出口５４ｂを介して浴室９内に吹き出される（図６の矢印Ｅ）。
【００９８】
このように、浴室空調装置５０を暖房運転モードで動作させることにより、浴室９内の空気を循環させながら暖房して、浴室内の温度を上げることができる。浴室空調装置５０を暖房運転モードで動作させることによって、浴室９内をあらかじめ暖めておくこと（いわゆる予備暖房）ができるので、入浴開始時に利用者が寒さを感じることなく快適に入浴を行うことが可能となる。また、入浴の最中に浴室９内に吹き出す温風量を少なくして浴室９を暖めること（いわゆる入浴暖房）によって、浴室の洗場で体を洗う場合等においても利用者が寒さを感じることなく快適に入浴を行うことができる。
【００９９】
なお、上述実施形態では、換気ファンモータ５９ｅを停止させて換気シロッコファン５９ａを回転させないこととしたが、洗面所１０やトイレ８から吸込んだ空気を排気するために、開閉シャッタ６１ｂで底面開口を閉塞した状態で換気シロッコファン５９ａを回転させるようにしてもよい。底面開口を閉塞した状態で換気シロッコファン５９ａを回転させることにより、浴室９内の暖められた空気が換気ファンユニット５９で吸込まれにくくなるので、暖かい空気が浴室９外に排出される（逃げてしまう）ことを防止することができる。
【０１００】
＜乾燥モードおよび涼風モードについて＞
操作パネルにおいて利用者により乾燥モードボタンが押下されて、乾燥運転モードが選択されると、浴室制御部８０は、換気ファンモータ５９ｅを駆動させて換気シロッコファン５９ａを回転させる。また、浴室制御部８０は、開閉モータ６１ｃを駆動させて開閉シャッタ６１ｂを回動させ、底面開口を開放させる。さらに、浴室制御部８０は、循環ファンモータ６０ｅを駆動させて循環シロッコファン６０ａを回転させると共にヒータ５７ａを通電させる。
【０１０１】
換気シロッコファン５９ａが回転すると、図７に示すように、洗面所１０およびトイレ８の空気が、室内用排気ダクト２５ａ、２５ｂを介して他室用吸込開口５１ｂへと導かれて、換気用吸込口５９ｇより換気ファンケース５５内部へと吸込まれる（図７の矢印Ａ参照）。
【０１０２】
一方で、開閉シャッタ６１ｂの回動によって底面開口が開放されるので、底面開口を介して導かれた浴室９の空気が、フロントパネル５４のパネル吸込口５４ａ、底面開口を介し、循環ファンケース５６の外側面とハウジングケース５１の内壁面との間の空間を通って、換気用吸込口５９ｇより換気ファンケース５５内部へと導かれる（図７の矢印Ｂ参照）。
【０１０３】
換気ファンケース５５内に吸入された空気は、換気ファンケース５５の案内通路５９ｂを介して排気開口５１ｃへと導かれ（図７の矢印Ｃ参照）、メイン排気ダクト２６を通って屋外に排出される。
【０１０４】
一方で、循環シロッコファン６０ａが回転すると、フロントパネル５４のパネル吸込口５４ａを介して、ファンカバー５８の循環用吸込口６０ｇから浴室９の空気が吸込まれる。循環用吸込口６０ｇから吸込まれた空気は、循環シロッコファン６０ａによって循環ファンケース５６内に吸込まれる（図７の矢印Ｄ）。
【０１０５】
循環ファンケース５６内に吸込まれた空気は、循環ファンケース５６内に形成された導通路を通って循環案内部５７へと導かれる。その後、循環案内部５７へと導かれた空気は、循環案内部５７に設けられたヒータ５７ａにより暖められた後に、ファンカバー５８の吹出口５８ａおよびフロントパネル５４のパネル吹出口５４ｂを介して浴室９内に吹き出される（図７の矢印Ｅ）。
【０１０６】
このように、浴室空調装置５０を乾燥モードで動作させることによって、換気ファンユニット５９により浴室９内の空気を屋外に排出させつつ、循環ファンユニット６０で浴室９内を暖めることができるので、浴室９内のランドリパイプに吊した衣類の乾燥等を行うことが可能となる。また、浴室９内の空気の一部が屋外に排気され、浴室９のドア１７ｈに設けられるガラリを介してから洗面所１０等の空気が取り込まれて浴室９内の換気が行われるので、浴室９の湿気等を排出して洗濯物の乾燥を促進することができる。
【０１０７】
なお、利用者によって操作パネルの涼風モードボタンが押下されて、涼風運転モードが選択された場合、浴室制御部８０は、ヒータ５７ａが停止される以外、上述した乾燥運転モードと同様の制御動作を実行する。
【０１０８】
涼風運転モードにより浴室空調装置５０が稼働されることによって、浴室９内の湿度の高い空気を排気し、浴室９内の空気を循環させながら浴室９内の温度に応じた涼風を吹き出すことができるので、浴室空調装置５０を夏場等に扇風機として使用することが可能となる。
【０１０９】
次に、屋内換気システム１における制御機能について説明を行う。図８は、中間ダクトファン装置３０と浴室空調装置５０とキッチン用換気装置２０との制御処理部の概略を示したブロック図である。
【０１１０】
中間ファン用回路基板４４に設けられる中間ファン制御部７０および浴室空調用回路基板５３に収納された浴室制御部８０は、ＣＰＵ（Ｃｅｎｔｒａｌ  Ｐｒｏｃｅｓｓｉｎｇ  Ｕｎｉｔ）や、ＲＡＭ・ＲＯＭ等のメモリ等で構成されており、ＲＯＭに記録されるプログラムに応じて後述する制御処理が行われる。
【０１１１】
中間ファン制御部７０には、ファンモータ４２が接続されており、ファンモータ４２の駆動量を中間ファン制御部７０が制御することによって、中間ダクトファン装置３０のシロッコファン４３の回転量が制御され、中間ダクトファン装置３０を介して、洋室Ａ５、洋室Ｂ６、和室１２、リビング１３に供給される外気の給気量の調整が行われる。
【０１１２】
また、浴室制御部８０には、ヒータ５７ａと、換気ファンモータ５９ｅと、循環ファンモータ６０ｅと、開閉モータ６１ｃとが接続されている。上述したように、浴室制御部８０は、選択された運転モードに応じて、ヒータ５７ａと、換気ファンモータ５９ｅと、循環ファンモータ６０ｅと、開閉モータ６１ｃとの制御を行う。
【０１１３】
これから説明を行う屋内換気システム１の制御処理においては、浴室空調装置５０が排気手段として利用される場合、つまり、浴室制御部８０が換気ファンモータ５９ｅを駆動制御する場合のみについて説明を行う。浴室制御部８０が換気ファンモータ５９ｅの駆動量を制御することによって、浴室空調装置５０における換気シロッコファン５９ａの回転量が制御され、浴室空調装置５０からメイン排気ダクト２６を介して屋外へと排出される空気の排気量の調整が行われる。
【０１１４】
なお、屋内換気システム１の制御処理における中間ダクトファン装置３０の駆動制御は、必ずしも換気ファンモータ５９ｅの駆動制御のみに限定されるものではなく、操作パネルにおける利用者のモード選択等に応じて適宜、ヒータ５７ａ、循環ファンモータ６０ｅ、開閉モータ６１ｃの制御が行われる。
【０１１５】
キッチン用換気装置２０においても、図８に示すように、キッチン制御部９０が設けられている。キッチン制御部９０は、利用者が操作するキッチン用操作ボタン２０ｄに応じて、キッチン用換気ファン２０ａを駆動するキッチン用ファンモータ２０ｂの駆動制御を行うと共に、キッチン用シャッタ２５に設けられるシャッタ用モータ２５ｃを駆動させて、キッチン用シャッタ２５の開閉制御を行う。
【０１１６】
なお、キッチン用操作ボタン２０ｄによりＯＮ／ＯＦＦされるキッチン用換気装置２０の駆動状況は、キッチン制御部９０より中間ファン制御部７０および浴室制御部８０へと伝達される構造となっている。さらに、キッチン制御部９０、中間ファン制御部７０および浴室制御部８０は、圧力センサ２１により検出される廊下４およびリビング１３の負圧状態に関する情報を取得することが可能となっている。
【０１１７】
次に、利用者によりキッチン用換気装置２０のキッチン用操作ボタン２０ｄがＯＮされて、キッチン用換気装置２０が稼働される場合における屋内換気システム１の制御処理について説明する。
【実施例１】
【０１１８】
＜キッチン用換気装置の動作に応じてキッチン用シャッタの開閉制御のみが行われる場合＞
図９は、キッチン用換気装置２０の動作に応じてキッチン用シャッタ２５の開閉制御のみが行われる場合における屋内換気システム１の制御を示している。
【０１１９】
まず、キッチン用換気装置２０のキッチン制御部９０は、利用者の操作によりキッチン用操作ボタン２０ｄが操作され、キッチン用換気装置２０がＯＮされたか否かの判断を行う（ステップＳ．１）。
【０１２０】
キッチン用換気装置２０がＯＮされていない場合（ステップＳ．１においてＮｏの場合）、キッチン制御部９０は、キッチン用ファンモータ２０ｂの駆動を行わず、また、キッチン用シャッタ２５を閉じた状態に保つ（ステップＳ．２）。この場合、パスダクト２４がキッチン用シャッタ２５により閉塞された状態となるため、玄関用給気グリル３ｂよりメイン給気ダクト２３・パスダクト２４を介して外気がキッチン１１に流れ込むことを防止することが可能となる。
【０１２１】
ここで、キッチン用換気装置２０が利用されていない場合、中間ダクトファン装置３０では、外気を一定風量だけ屋内へと給気するためにシロッコファン４３の回転が行われる。このため、中間ファン制御部７０は、ファンモータ４２を駆動させてシロッコファン４３を一定回転数だけ回転させる。中間ダクトファン装置３０の回転により積極的に外気がファンケースユニット３６へと導入されるので、ハウジングケース３５内に塵埃フィルタ３９ａおよびＮｏｘフィルタ３９ｂを設置した場合であっても、自然吸気により外気を導入する場合に比べて多くの外気を導入することができ、屋内における外気の吸入量を十分に確保することが可能となる。
【０１２２】
中間ダクトファン装置３０のファンケースユニット３６を介してチャンバー３８へと送出された外気は、チャンバー３８の給気ダクト接続部４９ａ〜４９ｄより各部屋へと分岐されて、洋室Ａ５、洋室Ｂ６、和室１２、リビング１３への給気が行われる。
【０１２３】
一方で、浴室空調装置５０においても、２４時間換気運転モード等によって、屋内の空気を一定量排気する必要があるため、浴室制御部８０が換気ファンモータ５９ｅを駆動させて換気シロッコファン５９ａを回転させる。この換気シロッコファン５９ａの回転により、建物内の空気が積極的に浴室空調装置５０へと吸入される。
【０１２４】
具体的には、各部屋のドア１７ａ〜１７ｆに設けられるアンダーカット、和室１２の引戸１７ｇ等の隙間、浴室のドア１７ｈに設けられるガラリ等を介して他室（他の区画空間）の空気が洗面所１０、浴室９、トイレ８に集められ、室内用排気グリル１６ａ、１６ｂから室内用排気ダクト２５ａ、２５ｂを介して換気ファンユニット５９へと屋内の空気が吸入され、また、浴室９より開閉シャッタ６１ｂが設けられる底面開口等を介して換気ファンユニット５９へと屋内の空気が吸入される。
【０１２５】
換気ファンケース５５内に吸込まれた空気は、換気ファンケース５５内に形成された案内通路５９ｂに導かれてハウジングケース５１の排気開口５１ｃ・メイン排気ダクト２６を通って玄関用排気グリル３ｃより屋外へと排気される。
【０１２６】
キッチン用換気装置２０の操作パネルが操作されてキッチン用換気装置２０がＯＮされた場合（ステップＳ．１においてＹｅｓの場合）、キッチン制御部９０は、キッチン用ファンモータ２０ｂを駆動させてキッチン用換気ファン２０ａを回転させ、キッチン１１における換気処理を開始する（ステップＳ．３）。そしてキッチン制御部９０は、キッチン用シャッタ２５のシャッタ用モータ２５ｃを駆動させてキッチン用シャッタ２５を開放状態にする（ステップＳ．４）。
【０１２７】
一般的に気密性の高いマンション等の住宅では、キッチン用換気装置２０が使用されると換気装置の排気処理によって建物に内外差圧が発生してしまい、玄関ドア３ａやサッシドア１３ａ等の開閉が行い難い状態となる場合もある。しかしながら、本発明に係る屋内換気システム１のように、メイン給気ダクト２３およびパスダクト２４を介してキッチン１１のキッチン用換気装置２０の近傍へ外気を導入することによって、キッチン用換気装置２０により屋外へ排気される排出空気量とほぼ同量の外気をキッチン１１へと導くことができ、建物の内外差圧の発生を抑制して、玄関ドア３ａやサッシドア１３ａ等の開閉を円滑にすることが可能となる。
【０１２８】
また、玄関用給気グリル３ｂからパスダクト２４との連結部２４ａまでのメイン給気ダクト２３のダクト径がφ１５０に規定されているのに対して、連結部２４ａから中間ダクトファン装置３０までのメイン給気ダクト２３とパスダクト２４とは、ダクト径がφ１００で規定されているので、キッチン用換気装置２０がＯＮにされる場合であっても、連結部２４ａから中間ダクトファン装置３０へと吸入される外気の吸入量に影響を与えることなく、パスダクト２４を介して外気をキッチン１１へと案内することが可能となり、中間ダクトファン装置３０とキッチン用換気装置２０との両方に十分な量の外気を導入することが可能となる。
【０１２９】
その後、キッチン制御部９０は、キッチン用換気装置２０のキッチン用操作パネル６２が操作されてキッチン用換気装置２０がＯＦＦされたか否かを判断する（ステップＳ．５）。キッチン用換気装置２０がＯＮのままである場合（ステップＳ．５でＮｏの場合）、キッチン制御部９０は、キッチン用換気装置２０がＯＦＦされたか否かの判断処理を繰り返し実行する（ステップＳ．５）。
【０１３０】
キッチン用換気装置２０がＯＦＦにされた場合（ステップＳ．５でＹｅｓの場合）、キッチン制御部９０は、キッチン用ファンモータ２０ｂの駆動を停止させて、キッチン１１の換気処理を終了する（ステップＳ．６）。そしてキッチン制御部９０は、キッチン用シャッタ２５のシャッタ用モータ２５ｃを駆動させてキッチン用シャッタ２５を閉塞状態にする（ステップＳ．７）。
【０１３１】
このようにキッチン用換気装置２０がＯＦＦされた場合には、キッチン用ファンモータ２０ｂの駆動を停止させてキッチン用換気ファン２０ａによる換気を終了し、さらにキッチン用換気ファン２０ａの停止に伴って不要となる外気の導入を終了するために、建物全体の内外差圧のバランスを好適な状態に維持することが可能となる。
【０１３２】
なお、一般的なキッチン用換気装置２０では、換気風量を「強」・「中」・「弱」等のように数段段階に設定することが可能となっている。このため、上述した実施例１の処理において、換気風量の設定が「強」の場合にのみキッチン用シャッタ２５を開閉させるようにしてもよい。このように、一定の換気風量の場合（例えば、換気風量が「強」の場合）にのみシャッタの開閉制御を行うことによって、内外差圧の生じにくい換気風量「弱」でのキッチン用換気装置２０の稼動においても不用意にシャッタの開閉制御が行われてしまうことを防止することが可能となる。
【０１３３】
また、図９に示す実施例１の制御処理では、キッチン用換気装置２０がＯＮされた場合に（ステップＳ．１）キッチン用シャッタ２５を開放させ（ステップＳ．４）、キッチン用換気装置２０がＯＦＦされた場合に（ステップＳ．５）キッチン用シャッタ２５を閉じる（ステップＳ．７）ように制御を行ったが、キッチン用換気装置２０のＯＮに応じて、ファンモータ４２の駆動量を増大させて中間ダクトファン装置３０による外気の吸入量を増加させ、キッチン用換気装置２０のＯＦＦに応じて、ファンモータ４２の駆動量を減少させて中間ダクトファン装置３０による外気の吸入量を低減させるように制御を行ってもよい。
【０１３４】
このように、中間ダクトファン装置３０のファンモータ４２を駆動させて外気の導入量を増大させることによって、屋内全体の給気量を十分に確保することが可能となる。このため、キッチン用換気装置２０がＯＮされた場合に、建物の内外差圧の発生を抑制することができ、玄関ドア３ａやサッシドア１３ａ等の開閉を円滑にすることが可能となる。
【０１３５】
さらに、キッチン用換気装置２０のＯＮに応じて、換気ファンモータ５９ｅの駆動量を減少させて浴室空調装置５０による排気風量を減少させ、キッチン用換気装置２０のＯＦＦに応じて、換気ファンモータ５９ｅの駆動量を元の駆動量に戻すことによって排気風量を増大させるように制御を行ってもよい。
【０１３６】
このように、浴室空調装置５０における換気ファンモータ５９ｅの駆動量を減少させて屋内の空気の排気量を減少させることによって、キッチン用換気装置２０がＯＮされてキッチンにおける排気量が増加した場合であっても建物内の吸排気バランスを保つことができるので、建物の内外差圧の発生を抑制して、玄関ドア３ａやサッシドア１３ａ等の開閉を円滑にすることが可能となる。
【実施例２】
【０１３７】
＜キッチン用換気装置の動作に応じて、キッチン用シャッタの開閉制御および中間ダクトファン装置によるシロッコファンの回転制御が行われる場合＞
実施例１では、キッチン用換気装置２０の動作に応じてキッチン用シャッタ２５の開閉制御のみが行われる場合について説明を行ったが、キッチン用シャッタ２５の開閉制御だけでは、建物内の内外差圧の発生を十分に抑制することができない場合もあり得る。パスダクト２４を介して導入される外気は自然吸気であるため、屋外の状態、例えば屋外が強風である場合等には、十分な外気の導入を行うことができないおそれもある。このような場合には、屋内の負圧状態に応じて中間ダクトファン装置３０のシロッコファン４３が駆動制御されるような構成とすることも可能である。
【０１３８】
図１０は、中間ダクトファン装置３０の中間ファン制御部７０における処理を示したフローチャートである。
【０１３９】
中間ファン制御部７０は、キッチン制御部９０よりキッチン用換気装置がＯＮされた旨の情報を取得したか否かの判断を行う（ステップＳ．２１）。キッチン用換気装置２０がＯＮである旨の情報を取得しなかった場合（ステップＳ．２１においてＮｏの場合）、中間ファン制御部７０は、その後の処理を行うことなく屋内換気システム１における換気処理を終了する。
【０１４０】
一方で、キッチン用換気装置２０がＯＮされた旨の情報を取得した場合（ステップＳ．２１においてＹｅｓの場合）、中間ファン制御部７０は、圧力センサ２１より玄関３およびリビング１３における負圧状態に関する情報を取得し（ステップＳ．２２）、取得した負圧状態が所定の圧力状態以上の値を示しているか否か、例えば、玄関ドア３ａやサッシドア１３ａの開閉が困難となるほど高い負圧状態となっているか否かを判断する（ステップＳ．２３）。
【０１４１】
圧力センサ２１より取得した負圧状態が所定の圧力状態以下であると判断した場合（ステップＳ．２３においてＮｏの場合）には、ファンモータ４２を駆動制御しなくても、シャッタ用モータ２５ｃの駆動制御により開放されたキッチン用シャッタ２５を介して十分な外気が導入されているため、屋内の内外差圧が生じていないものと判断することできる。このため、中間ファン制御部７０は、ファンモータ４２の駆動量を制御することなく、屋内換気システム１における換気処理を終了する。
【０１４２】
圧力センサ２１より取得した負圧状態が所定の圧力状態以上であると判断した場合（ステップＳ．２３においてＹｅｓの場合）、中間ファン制御部７０は、ファンモータ４２の駆動量を増大させて、中間ダクトファン装置３０における外気の吸入量を増大させる（ステップＳ．２４）。
【０１４３】
このように、中間ダクトファン装置３０のファンモータ４２を駆動させて外気の導入量を増大させることによって、屋内に吸入される空気の給気量が増加するので、パスダクト２４を介してキッチン１１へと自然吸気される外気の給気量だけでは十分な給気を行うことができない場合であっても、中間ダクトファン装置３０による給気量の増加によって屋内全体の給気量を十分に確保することが可能となる。このため、建物の内外差圧の発生を抑制することができ、玄関ドア３ａやサッシドア１３ａ等の開閉を円滑にすることが可能となる。
【０１４４】
その後、中間ファン制御部７０は、キッチン制御部９０よりキッチン用換気装置２０がＯＦＦされた旨の情報を取得したか否かの判断を行う（ステップＳ．２５）。キッチン制御部９０よりキッチン用換気装置２０がＯＦＦされた旨の情報を取得していない場合（ステップＳ．２５においてＮｏの場合）、中間ファン制御部７０は、再度、圧力センサ２１より負圧状態に関する情報を取得し（ステップＳ．２２）、取得した負圧状態に応じてファンモータ４２の駆動量を制御する（ステップＳ．２３、ステップＳ．２４）。
【０１４５】
このように、キッチン制御部９０よりキッチン用換気装置２０がＯＦＦされた旨の情報を取得していない場合に、圧力センサ２１より取得した負圧状態に応じて、再度ファンモータ４２の駆動量を制御することによって、屋内の負圧状態の変動に応じて迅速に外気の吸入量を調節することができる。このため、建物の内外差圧の発生を抑制することができ、玄関ドア３ａやサッシドア１３ａ等の開閉を円滑にすることが可能となる。
【０１４６】
キッチン制御部９０よりキッチン用換気装置がＯＦＦされた旨の情報を取得した場合（ステップＳ．２５においてＹｅｓの場合）、中間ファン制御部７０は、ファンモータ４２の駆動量を通常の駆動量に戻して、中間ダクトファン装置３０における外気の吸入量を減少させ（ステップＳ．２６）、屋内換気システム１における換気処理を終了する。
【０１４７】
このように、中間ダクトファン装置３０のファンモータ４２の駆動量を減少させて外気の吸入量を元の状態に戻すことによって、キッチン用ファンモータ２０ｂの駆動停止による排気量の減少に応じて建物全体に対する外気の給気量も減少させることができるので、建物全体の内外差圧のバランスを好適な状態に維持することが可能となる。
【実施例３】
【０１４８】
＜キッチン用換気装置の動作に応じて、キッチン用シャッタの開閉制御および浴室換気装置における換気シロッコファンの回転制御が行われる場合＞
実施例２では、キッチン用換気装置２０の動作に応じて中間ダクトファン装置３０におけるシロッコファン４３の駆動制御を行う場合について説明を行ったが、中間ダクトファン装置３０におけるシロッコファン４３の駆動制御の代わりに、浴室空調装置５０における換気シロッコファン５９ａの駆動制御を行う構成とすることも可能である。
【０１４９】
図１１は、浴室空調装置５０の浴室制御部８０における処理を示したフローチャートである。
【０１５０】
浴室制御部８０は、キッチン制御部９０よりキッチン用換気装置２０がＯＮされた旨の情報を取得したか否かの判断を行う（ステップＳ．３１）。キッチン用換気装置２０がＯＮである旨の情報を取得しなかった場合（ステップＳ．３１においてＮｏの場合）、浴室制御部８０は、その後の処理を行うことなく屋内換気システム１における換気処理を終了する。
【０１５１】
一方で、キッチン用換気装置２０がＯＮされた旨の情報を取得した場合（ステップＳ．３１においてＹｅｓの場合）、浴室制御部８０は、圧力センサ２１より玄関３およびリビング１３における負圧状態に関する情報を取得し（ステップＳ．３２）、取得した負圧状態が所定の圧力状態以上の値を示しているか否か、例えば、玄関ドア３ａやサッシドア１３ａの開閉が困難となるほど高い負圧状態となっているか否かを判断する（ステップＳ．３３）。
【０１５２】
圧力センサ２１より取得した負圧状態が所定の圧力状態以下であると判断した場合（ステップＳ．３３においてＮｏの場合）、浴室制御部８０は、換気ファンモータ５９ｅの駆動量を制御することなく、屋内換気システム１における換気処理を終了する。
【０１５３】
圧力センサ２１より取得した負圧状態が所定の圧力状態以下であると判断した場合には、換気ファンモータ５９ｅを駆動制御しなくても、シャッタ用モータ２５ｃの駆動制御により開放されたキッチン用シャッタ２５を介して十分な外気が導入されているため、屋内の内外差圧が生じていないものと判断することできる。このため、浴室制御部８０は、換気ファンモータ５９ｅの駆動量を制御することなく、屋内換気システム１における換気処理を終了する。
【０１５４】
圧力センサ２１より取得した負圧状態が所定の圧力状態以上であると判断した場合（ステップＳ．３３においてＹｅｓの場合）、浴室制御部８０は、換気ファンモータ５９ｅの駆動量を減少させて、換気ファンモータ５９ｅによる屋内空気の排気量を減少させる（ステップＳ．３４）。
【０１５５】
このように、浴室空調装置５０における換気ファンモータ５９ｅの駆動量を減少させて屋内の空気の排気量を減少させることによって、パスダクト２４を介して自然吸気される外気量が少ない場合であっても建物内の吸排気バランスを保つことができるので、建物の内外差圧の発生を抑制して、玄関ドア３ａやサッシドア１３ａ等の開閉を円滑にすることが可能となる。
【０１５６】
その後、浴室制御部８０は、キッチン制御部９０よりキッチン用換気装置２０がＯＦＦされた旨の情報を取得したか否かの判断を行う（ステップＳ．３５）。キッチン制御部９０よりキッチン用換気装置２０がＯＦＦされた旨の情報を取得していない場合（ステップＳ．３５においてＮｏの場合）、浴室制御部８０は、再度、圧力センサ２１より負圧状態に関する情報を取得し（ステップＳ．３２）、取得した負圧状態に応じて換気ファンモータ５９ｅの駆動量を制御する（ステップＳ．３３、ステップＳ．３４）。
【０１５７】
このように、キッチン制御部９０よりキッチン用換気装置２０がＯＦＦされた旨の情報を取得していない場合に、圧力センサ２１より取得した負圧状態に応じて、再度換気ファンモータ５９ｅの駆動量を制御することによって、屋内の負圧状態の変動に応じて迅速に屋内空気の排気量を調節することができ、建物の内外差圧の発生を抑制して玄関ドア３ａやサッシドア１３ａ等の開閉を円滑にすることが可能となる。
【０１５８】
キッチン制御部９０よりキッチン用換気装置２０がＯＦＦされた旨の情報を取得した場合（ステップＳ．３５においてＹｅｓの場合）、浴室制御部８０は、換気ファンモータ５９ｅの駆動量を通常の駆動量に戻して、換気ファンモータ５９ｅによる屋内空気の排気量を増大させ（ステップＳ．３６）、屋内換気システム１における換気処理を終了する。
【０１５９】
このように、浴室空調装置５０の換気ファンモータ５９ｅの駆動量を元の状態に戻すことによって、キッチン用ファンモータ２０ｂの駆動停止に応じて建物全体の空気の排気量を元に戻すことができるので、建物全体の内外差圧のバランスを好適な状態に維持することが可能となる。
【０１６０】
以上、説明したように、本発明に係る屋内換気システム１では、玄関用給気グリル３ｂよりメイン給気ダクト２３を介して中間ダクトファン装置３０により外気を屋内に給気する構造となっているので、従来のように各部屋の壁面等に自然吸気開口を設ける必要が無くなる。このため、冬場等においては自然吸気開口を介して屋外の冷たい外気が室内へ入り込んでしまうことや、自然吸気開口を介して騒音が室内に侵入してしまうことや、自然吸気開口を介して屋内の生活音等が屋外へと漏れてしまうことを防止することができ、居住者に快適な居住空間を提供することが可能となる。
【０１６１】
また、塵埃等を含む外気が屋内に入り込むことを防止するために、給気ダクト等にフィルタ等を設ける場合であっても、本発明に係る屋内換気システム１では、中間ダクトファン装置３０により積極的に外気の吸入を行うため、フィルタにより給気量が減少してしまうことを防止することができ、十分な給気量を確保することが可能となる。
【０１６２】
さらに、キッチン用換気装置２０を用いてキッチン１１等の一部の区画空間における排気処理を行う場合であっても、パスダクト２４によって外気がキッチン用換気装置２０の近傍に給気されるので、建物内に内外差圧が生じてしまうことを抑制することが可能となる。
【０１６３】
また、玄関用給気グリル３ｂからパスダクト２４との連結部２４ａまでのメイン給気ダクト２３のダクト径がφ１５０に規定されているのに対して、連結部２４ａから中間ダクトファン装置３０までのメイン給気ダクト２３とパスダクト２４とはダクト径がφ１００で規定されているので、キッチン用換気装置２０により排気処理が行われる場合であっても、連結部２４ａから中間ダクトファン装置３０へと吸入される外気の吸入量に影響を与えることなく、パスダクト２４を介して外気をキッチン１１へと案内することが可能となり、中間ダクトファン装置３０とキッチン用換気装置２０との両方に十分な量の外気を導入することが可能となる。
【０１６４】
さらに、キッチン用換気装置２０を用いて排気処理を行わない場合には、キッチン用シャッタ２５を閉じることができるため、パスダクト２４を介して外気が不用意に屋内へと入り込んでしまうことを防止することが可能となる。
【０１６５】
また、キッチン用シャッタ２５は、パスダクト２４の室内用給気グリル１５ａ側端部に設けられているので、キッチン用シャッタ２５におけるメンテナンス負担等を低減させることが可能となる。
【０１６６】
さらに、本発明に係る屋内換気システム１では、圧力センサ２１よって建物内の負圧状態を判断することが可能であるため、キッチン用換気装置２０による排気処理が行われている場合にパスダクト２４を介して十分な外気の給気量が確保できない場合であっても、中間ダクトファン装置３０におけるファンモータ４２の駆動制御および浴室空調装置５０における換気ファンモータ５９ｅの駆動制御によって、外気の給気量および屋内空気の排気量を調整することが可能である。このため、迅速かつ確実に内外差圧の発生を抑制することができ、玄関ドア３ａやサッシドア１３ａ等の開閉が困難となってしまうことを抑制することが可能となる。
【０１６７】
また、本発明に係る屋内換気システム１では、排気手段として浴室空調装置５０を用いているので、浴室用の換気手段とは別に排気手段を設ける場合に比べて安価に排気手段を設けることが可能となる。
【０１６８】
さらに、本発明に係る屋内換気システム１では、給気手段に該当する中間ダクトファン装置３０により外気の給気が行われる区画空間（具体的には、洋室Ａ５、洋室Ｂ６、和室１２、リビング１３）と、排気手段に該当する浴室空調装置５０により屋内の空気の排気が行われる区画空間（具体的には、洗面所１０、トイレ８、浴室９）とが異なる区画空間であり、アンダーカットやガラリ等を利用することによって、ある区画空間に対して給気された空気を異なる区画空間において集めて排気することができる。このため、建物内の給排気処理を建物全体で効果的に行うことが可能となり、すぐれた給排気効果を実現することが可能となる。
【０１６９】
以上、本発明に係る屋内換気システムを図面を用いて詳細に説明したが、本発明に係る屋内給排気システムは上記実施形態に示したものに限定されるものではない。当業者であれば、特許請求の範囲に記載された範疇内において、各種の変更例または修正例に想到しうることは明らかであり、それらについても当然に本発明の技術的範囲に属するものと了解される。
【０１７０】
例えば、上記実施形態の実施例２では、圧力センサ２１で建物内の負圧状態を判断することによって中間ダクトファン装置３０による給気量調整を行い、実施例３では、圧力センサ２１で建物内の負圧状態を判断することによって浴室空調装置５０による排気量調整を行う場合を説明したが、圧力センサ２１の負圧状態によって、中間ダクトファン装置３０又は浴室空調装置５０の一方だけが給気量又は排気量の調整を行うのではなく、中間ダクトファン装置３０と浴室空調装置５０とが協働して給気量および排気量の調整を行う構成とすることも可能である。このように、中間ダクトファン装置３０と浴室空調装置５０とが協働して給排気量の調整を行うことによって、高精度かつ効率的に給排気処理を行うことができ、建物全体の内外差圧の発生を効果的に抑制することが可能となる。
【０１７１】
また、上記実施形態では、圧力センサ２１により建物内の負圧状態を判断することによって、中間ダクトファン装置３０や浴室空調装置５０が給排気量を制御する場合について説明したが、中間ダクトファン装置３０や浴室空調装置５０における給排気量制御は、必ずしも圧力センサ２１による建物内の負圧状態のみ限定されるものではない。建物内の内外差圧が生じた場合には、一般的に玄関ドア３ａやサッシドア１３ａの開閉が負圧によって重くなってしまうという問題があり、中間ダクトファン装置３０や浴室空調装置５０による給排気量の制御処理は、このドアの開閉負担の軽減を実現することを大きな目的とするものである。
【０１７２】
このため、例えば、玄関ドア３ａの取手（ドアノブ）部分やサッシドア１３ａの側端部分等のように、人間がドアの開閉を行う際にふれる箇所に接触を感知するセンサを設けたり、ドアのドアノブの回動を検出するセンサを設けたり、ドアノブの握りに応じてＯＮされるドアスイッチ等のＯＮ／ＯＦＦ状態を検出するセンサ等を設けて、これらのセンサ（ドア検出手段）が反応し、さらに、キッチン用換気装置２０による換気処理が行われている場合に、中間ダクトファン装置３０のファンモータ４２を駆動させて外気の導入量を増大させて建物内の給排気量のバランスを保ったり、浴室空調装置５０の換気ファンモータ５９ｅの駆動量を減少させてキッチン用換気装置２０の換気量に応じて排気風量を減少させる構成としてもよい。
【０１７３】
センサが反応する場合には、センサの設置されたドアが開放されようとする状態であると判断することができるので、センサの反応に応じて給排気量を制御して内外差圧の抑制を図ることによって、玄関ドア３ａやサッシドア１３ａ等の開閉負担を軽減させることが可能となる。
【０１７４】
また、センサ（ドア検出手段）が反応し、さらに、キッチン用換気装置２０による換気処理が行われている場合に、キッチン用シャッタ２５を開放させて、パスダクト２４を介して外気をキッチン１１に積極的に導入する構成とすることも可能である。
【０１７５】
このように、センサの反応に応じてキッチン用シャッタ２５を開放させることによって、キッチン用換気装置２０による排気量に対応する外気をパスダクト２４を介してキッチン１１に給気することができるので、キッチン１１における給排気量のバランスを保つことができ、内外差圧の発生を抑制して玄関ドア３ａやサッシドア１３ａ等の開閉を円滑にすることが可能となる。
【０１７６】
さらに、キッチン用換気装置の換気風量を「強」・「中」・「弱」等のように数段階に設定することが可能な場合には、センサの反応に応じて中間ダクトファン装置３０や浴室空調装置５０が給排気量制御を行うのではなく、キッチン用換気装置２０の排気風量を変更するように制御を行うことが可能である。
【０１７７】
図１２は、玄関ドア３ａやサッシドア１３ａに設けられたセンサのＯＮ／ＯＦＦに応じて、キッチン制御部９０がキッチン用換気装置２０の換気風量を変更する制御処理を示したフローチャートである。
【０１７８】
まず、キッチン用換気装置２０のキッチン制御部９０は、利用者の操作によりキッチン用操作ボタン２０ｄが操作され、キッチン用換気装置２０がＯＮされたか否かの判断を行う（ステップＳ．４１）。
【０１７９】
キッチン用換気装置２０がＯＮされていない場合（ステップＳ．４１においてＮｏの場合）、キッチン制御部９０は、キッチン用ファンモータ２０ｂの駆動を行わず処理を終了する。キッチン用換気装置２０がＯＮされた場合（ステップＳ．４１においてＹｅｓの場合）、キッチン制御部９０は、利用者により設定された風量設定に応じてキッチン用ファンモータ２０ｂの駆動を開始する（ステップＳ．４２）。
【０１８０】
その後、キッチン制御部９０は、センサがＯＮされたか否か、つまり、誰かが玄関ドア３ａやサッシドア１３ａを開けようとしているか否かの判断を行う（ステップＳ．４３）。センサがＯＮされていない場合（ステップＳ．４３においてＮｏの場合）、キッチン制御部９０は、処理を後述するステップＳ．４９に移行する。
【０１８１】
センサがＯＮされた場合（ステップＳ．４３においてＹｅｓの場合）、キッチン制御部９０は、キッチン用ファンモータ２０ｂの駆動量に基づいて換気風量が「強」であるか否かの判断を行う（ステップＳ．４４）。
【０１８２】
換気風量が「強」である場合、キッチン用換気装置２０の換気処理によって建物に内外差圧が生じ、玄関ドア３ａやサッシドア１３ａが開けにくくなる可能性があるため、キッチン制御部９０は、キッチン用ファンモータ２０ｂの駆動量を低減させて換気風量を「弱」に変更する（ステップＳ．４５）。換気風量が「強」でない場合、キッチン用換気装置２０の換気処理によって建物の内外差圧は生じ難いと判断できるため、キッチン制御部９０は、キッチン用ファンモータ２０ｂの駆動量を変更することなく処理をステップＳ．４９に移行する。
【０１８３】
キッチン制御部９０は、その後、センサがＯＦＦとなったかを判断する（ステップＳ．４６）。人間が玄関ドア３ａやサッシドア１３ａを開けて屋内に入る場合には、ドアの開閉後にドアのセンサ部分から手を離すこととなるため、センサのＯＦＦ判断によって人間がドアを開けて屋内に入る動作を行ったことを判断することができる。センサがＯＦＦされていない場合には、キッチン制御部９０は、ＯＦＦされるまでセンサのＯＦＦ検出処理を繰り返し実行する。
【０１８４】
センサがＯＦＦされた場合には、キッチン制御部９０は、センサがＯＦＦされてから所定時間（例えば１０秒）の時間が経過したか否かを判断する（ステップＳ．４７）。この時間経過処理は、人間が玄関ドア３ａ等のセンサから手を離し、玄関ドア３ａ等を通って屋内に入り玄関ドア３ａが閉じるまである程度の時間が必要であるため、これらの動作に必要な時間の経過を判断する処理である。所定時間が経過するまで、キッチン制御部９０は時間経過処理（ステップＳ．４７）を繰り返し実行する。
【０１８５】
所定時間が経過した後、キッチン制御部９０は、人間が無事に屋内に入り終わったものと判断して、キッチン用ファンモータ２０ｂの駆動量を高めて換気風量を「強」に戻す（ステップＳ．４８）。
【０１８６】
その後、キッチン制御部９０は、利用者の操作によりキッチン用操作ボタン２０ｄが操作され、キッチン用換気装置２０がＯＦＦされたか否かの判断を行う（ステップＳ．４９）。キッチン用換気装置２０がＯＦＦされた場合、キッチン制御部９０は、キッチン用ファンモータ２０ｂの駆動を停止して（ステップＳ．５０）処理を終了する。キッチン用換気装置２０がＯＦＦされていない場合、キッチン制御部９０は、センサがＯＮされたか否かの判断に処理を移し（ステップＳ．４３）、繰り返し上述した処理を実行する。
【０１８７】
このように、センサがＯＮされた場合にキッチン用換気装置２０の換気風量「弱」にすることによって、キッチン用換気装置２０における換気量を低減させて建物の内外差圧の発生を抑制することができ、玄関ドア３ａやサッシドア１３ａ等の開閉を円滑にすることが可能となる。
【０１８８】
また、上述したキッチン用換気装置２０のように換気風量を数段階に設定することが可能な場合には、センサ（ドア検出手段）が反応し、さらに、キッチン用換気装置２０が換気風量「強」で換気処理を行っている場合にのみ、中間ダクトファン装置３０のファンモータ４２を駆動させて外気の導入量を増大させ、センサ（ドア検出手段）が反応してもキッチン用換気装置２０が換気風量「強」で換気処理を行っていない場合には、中間ダクトファン装置３０のファンモータ４２を駆動させない構造としてもよい。
【０１８９】
キッチン制御部９０の換気風量が「強」である場合には、上述したようにキッチン用換気装置２０の換気処理によって建物に内外差圧が生じ、玄関ドア３ａやサッシドア１３ａが開けにくくなる可能性がある。このため、換気風量が「強」の場合には、ファンモータ４２を駆動させて外気の導入量を増大させることによって、有効に内外差圧の発生を抑制することが可能となる。一方で、換気風量が「強」でない場合には、キッチン用換気装置２０の換気処理によって必ずしも建物の内外差圧は生じ難いと判断できるため、中間ダクトファン装置３０のファンモータ４２を積極的に駆動させる必要がなくなる。
【０１９０】
また、同様に、キッチン用換気装置２０が換気風量を数段階に設定することが可能な場合には、センサ（ドア検出手段）が反応し、さらに、キッチン用換気装置２０が換気風量「強」で換気処理を行っている場合にのみ、浴室空調装置５０の換気ファンモータ５９ｅの駆動量を減少させてキッチン用換気装置２０の換気量に応じて排気風量を減少させ、センサ（ドア検出手段）が反応してもキッチン用換気装置２０の換気風量が「強」でない場合には、換気ファンモータ５９ｅの駆動量を変更させない構成とすることも可能である。
【０１９１】
さらに、センサ（ドア検出手段）が反応し、さらに、キッチン用換気装置２０が換気風量「強」で換気処理を行っている場合にのみ、キッチン用シャッタ２５を開放させて外気を積極的にキッチン１１へ導入し、センサ（ドア検出手段）が反応してもキッチン用換気装置２０が換気風量「強」でない場合には、キッチン用シャッタ２５を開放させない構成とすることが可能である。
【０１９２】
このように、センサ（ドア検出手段）が反応し、キッチン用換気装置２０の換気風量が「強」の場合にのみ、換気ファンモータ５９ｅの駆動量を減少させたり、キッチン用シャッタ２５を開放させることによって、建物の内外差圧の発生を抑制し、玄関ドア３ａやサッシドア１３ａ等の開閉を円滑にすることが可能となる。
【０１９３】
また、実施例１では、キッチン用シャッタ２５を、シャッタ用モータ２５ｃを用いて開閉する場合について説明を行ったが、キッチン用シャッタ２５は必ずしもシャッタ用モータによって開閉される構造に限定されるものではなく、いわゆる差圧ダンパー等を用いてキッチン１１と屋外との差圧によりシャッタの開閉を行う構造とすることも可能である。
【０１９４】
例えば、パスダクト２４内部、又はパスダクト２４のキッチン１１側端部（例えば室内用給気グリル１５ｅ内）に、キッチン１１側方向へと回動させることが可能なシャッタを設け、このシャッタに対してパスダクト２４の上流側（メイン給気ダクト２３との連結部２４ａ側）へ付勢を行うバネ部材を設置する。
【０１９５】
このようにシャッタに対してバネ部材を設けることによって、キッチン用換気装置２０の稼動によりキッチン１１がパスダクト２４内に比べて負圧になった場合、その負圧によってシャッタがバネ部材の付勢力に抗してパスダクト２４を開放するので、外気をキッチン１１へと導入すること可能となる。一方で、キッチン用換気装置２０が停止されてキッチン１１とパスダクト２４内との圧力差が解消すると、シャッタがバネ部材の付勢力によってパスダクト２４を閉塞するので、キッチン１１への外気の導入を防止することが可能となる。
【０１９６】
このような差圧ダンパーを用いることによって、本実施例に示したようなシャッタ用モータ２５ｃ等を設ける必要が無くなり、さらにキッチン制御部９０によるキッチン用シャッタ２５の開閉制御処理を行う必要が無くなるので、構造の簡素化とコストの低減を図ることが可能となる。
【０１９７】
また、上記実施形態では、給気手段として中間ダクトファン装置３０を用い、排気手段として浴室空調装置５０を用いた場合を例に示して説明を行ったが、給気手段と排気手段とは必ずしも別体に構成されている必要はなく、給気手段としての機能と排気手段としての機能とを備えた一体の給排気装置を用いることも可能である。
【０１９８】
さらに、中間ダクトファン装置３０および浴室空調装置５０に用いられるファンとしてシロッコファンを用いて説明を行ったが、中間ダクトファン装置３０および浴室空調装置５０に用いられるファンは、シロッコファンのみに限定されるものではなく、ラジアルファンのような多翼ファンを用いるものであってもよい。
【図面の簡単な説明】
【０１９９】
【図１】本実施形態に係る屋内換気システムが設置されたマンションの区画建物例を示した概略構成図である。
【図２】本実施形態に係る間ダクトファン装置の展開斜視図を示している。
【図３】本実施形態に係る中間ダクトファン装置の側方断面図を示している。
【図４】本実施形態に係る浴室空調装置の斜視図を示している。
【図５】換気運転モード・２４時間換気運転モードにおける空気の流れを示した浴室空調装置の側方断面図を示している。
【図６】暖房モードにおける空気の流れを示した浴室空調装置の側方断面図を示している。
【図７】乾燥モードおよび涼風モードにおける空気の流れを示した浴室空調装置の側方断面図を示している。
【図８】本実施形態に係る中間ダクトファン装置と浴室空調装置とキッチン用換気装置との制御処理部の概略を示したブロック図である。
【図９】実施例１に係るキッチン制御部の処理を示したフローチャートである。
【図１０】実施例２に係る中間ファン制御部の処理を示したフローチャートである。
【図１１】実施例３に係る浴室制御部の処理を示したフローチャートである。
【図１２】センサのＯＮ／ＯＦＦに応じてキッチン用換気装置の換気風量を変更する処理を示したフローチャートである。
【符号の説明】
【０２００】
１          …屋内換気システム（換気システム）
３ｂ      …玄関用給気グリル
３ｃ      …玄関用排気グリル
１１      …キッチン（特定の区画空間）
１５ａ〜１５ｅ    …室内用給気グリル
１６ａ、１６ｂ  …室内用排気グリル
１７ａ〜１７ｈ    …ドア
２０      …キッチン用換気装置（特別排気手段）
２０ａ    …（キッチン用換気装置の）キッチン用換気ファン
２０ｂ    …（キッチン用換気装置の）キッチン用ファンモータ
２０ｃ    …（キッチン用換気装置の）キッチン排気グリル
２０ｄ    …（キッチン用換気装置の）キッチン用操作ボタン
２１      …圧力センサ（圧力検出手段）
２３      …メイン給気ダクト（外気導入用ダクト、給気側ダクト、屋外側ダクト）
２４      …パスダクト（特定給気ダクト）
２４ａ    …（メイン給気ダクトとパスダクトとの）連結部
２５      …キッチン用シャッタ（開閉シャッタ）
２５ａ、２５ｂ    …室内用排気ダクト
２５ｃ    …（キッチン用シャッタを駆動するための）シャッタ用モータ
２６      …メイン排気ダクト
３０      …中間ダクトファン装置（給気手段）
３１ａ〜３１ｄ    …室内用給気ダクト
３５      …（中間ダクトファン装置の）ハウジングケース
３５ａ    …外気導入用開口
３５ｂ    …室内給気用開口
３５ｃ    …給気ダクト連結部
３６      …ファンケースユニット
３７      …ドレインパン
３８      …チャンバー
３９ａ    …塵埃フィルタ
３９ｂ    …Ｎｏｘフィルタ
４１      …（ファンケースユニットの）ファンケース
４２      …（ファンケースユニットの）ファンモータ（給気ファン駆動手段）
４２ａ    …（ファンモータの）回転軸
４３      …（ファンケースユニットの）シロッコファン（給気ファン）
４４      …中間ファン用回路基板
４５      …ファンカバー
４５ａ    …（ファンカバーの）外気用吸込口
４５ｂ    …（ファンカバーの）フランジ部
４９ａ〜４９ｄ    …給気ダクト接続部
５０      …浴室空調装置（排気手段）
５１      …（浴室空調装置の）ハウジングケース
５１ｂ    …他室用吸込開口
５１ｃ    …排気開口
５２      …（浴室空調装置の）送風ユニット
５２ａ    …室内用排気ダクト接続部
５２ｂ    …排気ダクト接続部
５３      …浴室空調用回路基板
５４      …（浴室空調装置の）フロントパネル
５４ａ    …パネル吸込口
５４ｂ    …パネル吹出口
５５      …換気ファンケース
５６      …循環ファンケース
５７      …循環案内部
５７ａ    …ヒータ
５８      …（浴室空調装置の）ファンカバー
５８ａ    …（ファンカバーの）吹出口
５９      …換気ファンユニット
５９ａ    …換気シロッコファン（排気ファン）
５９ｅ    …換気ファンモータ（排気ファン駆動手段）
５９ｆ    …（換気ファンモータの）回転軸
５９ｇ    …換気用吸込口
６０      …循環ファンユニット
６０ａ    …循環シロッコファン
６０ｅ    …循環ファンモータ
６０ｆ    …（循環ファンモータ）回転軸
６０ｇ    …循環用吸込口
６１      …開閉ユニット
６１ａ    …開閉ユニットフレーム
６１ｂ    …開閉シャッタ
６１ｃ    …開閉モータ
６２      …（浴室空調装置の）操作パネル
７０      …中間ファン制御部
８０      …浴室制御部
９０      …キッチン制御部
【図１】
2008164222.tif 000003
【図２】
2008164222.tif 000004
【図３】
2008164222.tif 000005
【図４】
2008164222.tif 000006
【図５】
2008164222.tif 000007
【図６】
2008164222.tif 000008
【図７】
2008164222.tif 000009
【図８】
2008164222.tif 000010
【図９】
2008164222.tif 000011
【図１０】
2008164222.tif 000012
【図１１】
2008164222.tif 000013
【図１２】
2008164222.tif 000014